(57)【要約】      （修正有）【課題】皮膚の広い範囲を伸長することが可能で、快適な剃り心地とカミソリの操作性を向上可能なガード部材を備えたカミソリを提供する。【解決手段】剃毛ブレードユニット１６は、前方部分と、後方部分１０２と、前方部分から後方部分まで延びる２つの側面３４とを有するプラスチックハウジング２０を包含する。ハウジングは、一方の側面から他方の側面まで延びる長さを有する。ハウジングの前方表面と後方表面との間に配置されているのは、１つ以上の平行なブレード軸の各々に沿って延びるブレード長を有する１枚以上の剃毛ブレード２８である。ハウジングの前方部分におけるガード２２は、１つ以上のブレード軸線の各々に平行なガード軸線に沿って延びるエラストマー部材１００を包含する。エラストマー部材１００は、ガード軸線に沿った、ブレード長以上の長さを有する。【選択図】図３
2010099485.tif 000002
【特許請求の範囲】
【請求項１】
剃毛ブレードユニットであって、
前方部分と、後方部分と、前記前方部分から前記後方部分まで延びる２つの側面とを有し、一方の側面から他方の側面まで延びる長さを有するプラスチックハウジングと、
前記前方部分と前記後方部分との間で、１つ以上の平行なブレード軸線の各々に沿って延びるブレード長を有する１枚以上の剃毛ブレードと、
前記ハウジングの前記前方部分で、エラストマー部材を包含する前記ガードと、を備え、
前記エラストマー部材は、少なくとも１つの前記側面を覆って、前記１つ以上のブレード軸線の各々に対して平行なガード軸線に沿って延びる、剃毛ブレードユニット。
【請求項２】
前記エラストマー部材が、エラストマーフィンを包含する、請求項１に記載の剃毛ブレードユニット。
【請求項３】
前記フィンが、前記１つ以上のブレード軸線の各々に対してほぼ平行なフィン軸線に沿って延び、
前記フィンが、前記フィン軸線に沿った、前記ブレード長以上の長さを有する、請求項２に記載の剃毛ブレードユニット。
【請求項４】
前記フィンが、約２８〜６０のショアＡ硬度を有する材料で作られている、請求項２に記載の剃毛ブレードユニット。
【請求項５】
前記エラストマー部材が、複数のエラストマーフィンを包含する、請求項１に記載の剃毛ブレードユニット。
【請求項６】
前記フィンが、平行な列で配列されており、
前記フィンが、前記１つ以上のブレード軸線の各々に対して平行なそれぞれのフィン軸線に沿って延び、
少なくとも一部の前記フィンが、連合するフィン軸線に沿った、前記ブレード長よりも長い長さを有する、請求項５に記載の剃毛ブレードユニット。
【請求項７】
前記フィンの全てが、連合するフィン軸線に沿った、前記ブレード長よりも長い長さを有する、請求項６に記載の剃毛ブレードユニット。
【請求項８】
前記フィンが、漸増する長さを有する、請求項６に記載の剃毛ブレードユニット。
【請求項９】
前記ブレードに最も近い前記フィンが、前記ブレード長よりも長い長さを有し、
前記フィン長が、前記ブレードからの距離が増加するにつれて減少する、請求項８に記載の剃毛ブレードユニット。
【請求項１０】
前記１枚以上の剃毛ブレードから遠いフィンから前記ブレードに近いフィンまで進む際、少なくとも一部の前記フィンが、前記１枚以上の剃毛ブレードの連合する刃先を通過する平面に対して増加する高さを有する先端を有する、請求項５に記載の剃毛ブレードユニット。
【請求項１１】
少なくとも一部の前記フィンが、前記平面より上に先端を有し、
一部の前記フィンが、前記平面より下に先端を有する、請求項１０に記載の剃毛ブレードユニット。
【請求項１２】
その他の前記フィンが、前記平面に対してほぼ均等な位置の先端を有する、請求項１１に記載の剃毛ブレードユニット。
【請求項１３】
前記フィンが、約８〜１４度の先端角を有する収束表面を有する、請求項５に記載の剃毛ブレードユニット。
【請求項１４】
先頭のフィンから最後尾のフィンまでの距離が、約４ｍｍである、請求項５に記載の剃毛ブレードユニット。
【請求項１５】
前記フィンが、高さ約０．４〜０．９ｍｍの先端を有する、請求項５に記載の剃毛ブレードユニット。
【請求項１６】
前記エラストマー部材が、少なくとも約１０個のフィンを包含する、請求項５に記載の剃毛ブレードユニット。
【請求項１７】
前記エラストマー部材が、約１５個のフィンを包含する、請求項１６に記載の剃毛ブレードユニット。
【請求項１８】
前記エラストマー部材が、約２０個のフィンを包含する、請求項１６に記載の剃毛ブレードユニット。
【請求項１９】
前記１枚以上の剃毛ブレードを保持するための留め具をさらに備え、
前記留め具が、前記ハウジングの前記前方部分と後方部分との間に配置された開口部を突き通す、請求項１に記載の剃毛ブレードユニット。
【請求項２０】
前記留め具の第１及び第２末端部が、前記ハウジングにおける第１及び第２開口部の各々を突き通す、請求項１９に記載の剃毛ブレードユニット。
【請求項２１】
前記エラストマー部材が、可撓性である、請求項１に記載の剃毛ブレードユニット。
【請求項２２】
前記エラストマー部材の先頭部分が、前記ハウジングの前記前方部分の先端縁部を越えて、前記ガード軸線及びブレード軸線に垂直な方向に延びる、請求項１に記載の剃毛ブレードユニット。
【請求項２３】
前記先頭部分が、その長さに沿って実質的に支持されていない、請求項２２に記載の剃毛ブレードユニット。
【請求項２４】
前記先頭部分が、ユーザの皮膚と接触すると同時に偏向するために、十分に可撓性である、請求項２２に記載の剃毛ブレードユニット。
【請求項２５】
前記先頭部分が、剃毛中にユーザの皮膚の輪郭に適合するために、十分に可撓性である、請求項２２に記載の剃毛ブレードユニット。
【請求項２６】
前記先頭部分が、前記ハウジングの前記側面に隣接した第１厚さを有し、先細になって前記ガードの中央領域に隣接したより薄い第２厚さに至る、請求項２２に記載の剃毛ブレードユニット。
【請求項２７】
前記エラストマー部材の厚さが、前記ガード軸線に沿って変化する、請求項１に記載の剃毛ブレードユニット。
【請求項２８】
前記ハウジングが、前記１枚以上のブレードをハンドルに対して枢動させるための枢動構造体に連結されている、請求項１に記載の剃毛ブレードユニット。
【請求項２９】
前記エラストマー部材が、少なくとも１つの前記側面から延びる突起部を形成する、請求項１に記載の剃毛ブレードユニット。
【請求項３０】
前記ハウジングに連結されたトリム組立体をさらに備える、請求項１に記載の剃毛ブレードユニット。
【請求項３１】
前記トリム組立体が、トリムブレードを備える、請求項３０に記載の剃毛ブレードユニット。
【請求項３２】
剃毛ブレードユニットであって、前方部分と、後方部分と、前記前方部分から前記後方部分まで延びる２つの側面とを有し、一方の側面から他方の側面まで延びる長さと、前記長さに垂直な幅とを有するプラスチックハウジングと、
前記前方部分と前記後方部分との間で、１つ以上の平行なブレード軸線の各々に沿って延びるブレード長を有する１枚以上の剃毛ブレードと、
前記ハウジングの前記前方部分において、前記ハウジングによって支持されたエラストマー部材を包含すると共に、前記１つ以上のブレード軸線の各々に対して平行なガード軸線に沿って延び、前記ハウジングの前記幅を越えて延びる前記ガード軸線に垂直な幅を有するガードと、を備える、剃毛ブレードユニット。
【請求項３３】
前記エラストマー部材が、前記ガード軸線に沿った、前記ブレード長以上の長さを有する、請求項３２に記載の剃毛ブレードユニット。
【請求項３４】
前記エラストマー部材が、少なくとも１つの前記側面を覆って延びる、請求項３２に記載の剃毛ブレードユニット。
【請求項３５】
前記エラストマー部材が、少なくとも１つの前記側面から延びる突起部を形成する、請求項３４に記載の剃毛ブレードユニット。
【請求項３６】
前記エラストマー部材が、エラストマーフィンを包含する、請求項３０に記載の剃毛ブレードユニット。
【請求項３７】
前記フィンが、前記１つ以上のブレード軸線の各々に対してほぼ平行なフィン軸線に沿って延び、
前記フィンが、前記フィン軸線に沿った、前記ブレード長以上の長さを有する、請求項３６に記載の剃毛ブレードユニット。
【請求項３８】
前記フィンが、約２８〜６０のショアＡ硬度を有する材料で作られている、請求項３６に記載の剃毛ブレードユニット。
【請求項３９】
前記エラストマー部材が、複数のエラストマーフィンを包含する、請求項３４に記載の剃毛ブレードユニット。
【請求項４０】
前記フィンが、平行な列で配列されており、
前記フィンが、前記１つ以上のブレード軸線の各々に対して平行なそれぞれのフィン軸線に沿って延び、
少なくとも一部の前記フィンが、連合するフィン軸線に沿った、前記ブレード長より長い長さを有する、請求項３９に記載の剃毛ブレードユニット。
【請求項４１】
前記フィンの全てが、連合するフィン軸線に沿った、前記ブレード長より長い長さを有する、請求項４０に記載の剃毛ブレードユニット。
【請求項４２】
前記フィンが、漸増する長さを有する、請求項４０に記載の剃毛ブレードユニット。
【請求項４３】
前記ブレードに最も近い前記フィンが、前記ブレード長より長い長さを有し、
前記フィン長が、前記ブレードからの距離が増加するにつれて減少する、請求項４２に記載の剃毛ブレードユニット。
【請求項４４】
前記１枚以上の剃毛ブレードから遠いフィンから、前記ブレードに近いフィンまで進む際、少なくとも一部の前記フィンが、前記１枚以上の剃毛ブレードの連合する刃先を通過する平面に対して増加する高さを有する先端を有する、請求項３９に記載の剃毛ブレードユニット。
【請求項４５】
少なくとも一部の前記フィンが、前記平面より上に先端を有し、
一部の前記フィンが、前記平面より下に先端を有する、請求項４４に記載の剃毛ブレードユニット。
【請求項４６】
その他の前記フィンが、前記平面に対してほぼ均等な位置の先端を有する、請求項４５に記載の剃毛ブレードユニット。
【請求項４７】
前記フィンが、約８〜１４度の先端角を有する収束表面を有する、請求項３９に記載の剃毛ブレードユニット。
【請求項４８】
先頭のフィンから最後尾のフィンまでの距離が、約４ｍｍである、請求項３９に記載の剃毛ブレードユニット。
【請求項４９】
前記フィンが、高さ約０．４〜０．９ｍｍの先端を有する、請求項３９に記載の剃毛ブレードユニット。
【請求項５０】
前記エラストマー部材が、少なくとも約１０個のフィンを包含する、請求項３９に記載の剃毛ブレードユニット。
【請求項５１】
前記エラストマー部材が、約１５個のフィンを包含する、請求項５０に記載の剃毛ブレードユニット。
【請求項５２】
前記エラストマー部材が、約２０個のフィンを包含する、請求項５０に記載の剃毛ブレードユニット。
【請求項５３】
前記１枚以上の剃毛ブレードを保持するための留め具をさらに備え、
前記留め具が、前記ハウジングの前記前方部分と後方部分との間に配置された開口部を突き通す、請求項３２に記載の剃毛ブレードユニット。
【請求項５４】
前記留め具の第１及び第２末端部が、前記ハウジングにおける第１及び第２開口部の各々を突き通す、請求項５３に記載の剃毛ブレードユニット。
【請求項５５】
前記エラストマー部材が、可撓性である、請求項３２に記載の剃毛ブレードユニット。
【請求項５６】
前記エラストマー部材の先頭部分が、その長さに沿って実質的に支持されていない、請求項３２に記載の剃毛ブレードユニット。
【請求項５７】
前記先頭部分が、ユーザの皮膚と接触すると同時に偏向するために、十分に可撓性である、請求項５６に記載の剃毛ブレードユニット。
【請求項５８】
前記先頭部分が、剃毛中にユーザの皮膚の輪郭に適合するために、十分に可撓性である、請求項５６に記載の剃毛ブレードユニット。
【請求項５９】
前記先頭部分が、前記ハウジングの前記側面に隣接した第１厚さを有し、先細になって前記ガードの中央領域に隣接したより薄い第２厚さに至る、請求項５６に記載の剃毛ブレードユニット。
【請求項６０】
前記エラストマー部材の厚さが、前記ガード軸線に沿って変化する、請求項３２に記載の剃毛ブレードユニット。
【請求項６１】
前記ハウジングが、前記１枚以上のブレードをハンドルに対して枢動させるための枢動構造体に連結されている、請求項３２に記載の剃毛ブレードユニット。
【請求項６２】
前記ハウジングに連結されたトリム組立体をさらに備える、請求項３２に記載の剃毛ブレードユニット。
【請求項６３】
前記トリム組立体が、トリムブレードを備える、請求項６２に記載の剃毛ブレードユニット。
【請求項６４】
前記エラストマー部材が、前記ブレード軸線に対して平行なフィン軸線に沿って、前記エラストマー部材によって画定されたフレームの範囲内で延びる１つ以上のフィンを包含する、請求項１又は３２に記載の剃毛ブレードユニット。
【請求項６５】
前記エラストマー部材が、前記フレームと前記フィンとの間に配置された溝を画定し、  前記フレームが、当該フレームから前記１つ以上のフィンの末端部を分離させる、請求項６４に記載の剃毛ブレードユニット。
【請求項６６】
ハンドルと、
前記ハンドルに連結する連結構造体を包含する剃毛カートリッジと、を備える剃毛カミソリであって、
前記剃毛カートリッジが、
前方部分と、後方部分と、前記前方部分から前記後方部分まで延びる２つの側面とを有し、一方の側面から他方の側面まで延びる長さを有するプラスチックハウジングと、
前記前方部分と前記後方部分との間に配置され、１つ以上の平行なブレード軸線の各々に沿って延びるブレード長を有する１枚以上の剃毛ブレードと、
前記ハウジングの前記前方部分で、前記１つ以上のブレード軸線の各々に対して平行なガード軸線に沿って延びるエラストマー部材を包含するガードと、を備え、
前記エラストマー部材は、前記ガード軸線に沿った、前記ブレード長以上の長さを有する、剃毛カミソリ。
【請求項６７】
前記剃毛カートリッジが、前記ハンドルに恒久的に連結された、請求項６６に記載の剃毛カミソリ。
【請求項６８】
前記剃毛カートリッジが、前記連結構造体によって前記ハンドルに取外し可能に連結された、請求項６６に記載の剃毛カミソリ。
【発明の詳細な説明】
【技術分野】
【０００１】
本発明は、剃毛カートリッジ、より詳細にはガードを有する剃毛カートリッジに関する。
【背景技術】
【０００２】
近年、例えば、ジレット社（The Gillette Company）により３枚刃のマッハスリー（Mach III）カミソリとして商品化された設計様式について全般的に記載する、米国特許第５，７８７，５８６号に記載される特許文献において、様々な数のブレード及びガードを有するカートリッジを有する剃毛カミソリが考案され、商品化されてきた。ガードは、ブレードより前方に位置しており、皮膚を伸張させて毛を剃る準備をするために使用される。
【発明の概要】
【課題を解決するための手段】
【０００３】
一態様において、本発明は一般に、前方部分と、後方部分と、前方部分から後方部分まで延びる２つの側面とを有するプラスチックハウジングを包含する、剃毛ブレードユニットを特徴とする。ハウジングは、一方の側面から他方の側面まで延びる長さを有する。ハウジングの前方表面と後方表面との間に配置されているのは、１つ以上の平行なブレード軸線の各々に沿って延びるブレード長（即ち、カットするために露出されたブレード長）を有する、１枚以上の剃毛ブレードである。ハウジングの前方部分のガードは、１つ以上のブレード軸線の各々に対してほぼ平行なガード軸線に沿って延びるエラストマー部材を包含する。エラストマー部材は、ガード軸線に沿った、ブレード長以上の長さを有する。
【０００４】
別の態様において、本発明は、前方部分と、後方部分と、前方部分から後方部分まで延びる２つの側面とを有するプラスチックハウジングを包含する、剃毛ブレードユニットを特徴とする。ハウジングは、一方の側面から他方の側面まで延びる長さを有する。ハウジングの前方表面と後方表面との間に配置されているのは、１つ以上の平行なブレード軸線の各々に沿って延びるブレード長を有する、１枚以上の剃毛ブレードである。ハウジングの前方のガードは、側面の少なくとも１つを覆って、且つ１つ以上のブレード軸線に対して平行なガード軸線に沿って延びる、エラストマー部材を包含する。
【０００５】
別の態様において、本発明は、前方部分と、後方部分と、前方部分から後方部分まで延びる２つの側面とを有するプラスチックハウジングを包含する、剃毛ブレードユニットを特徴とする。ハウジングは、一方の側面から他方の側面まで延びる長さを有する。ハウジングの前方表面と後方表面との間に配置されているのは、１つ以上の平行なブレード軸線の各々に沿って延びるブレード長を有する、１枚以上の剃毛ブレードである。ハウジングの前方部分によって担持されているガードは、１つ以上のブレード軸線の各々に対して平行なガード軸線に沿って延びる、エラストマー部材を包含する。ガードは、ハウジングの幅を越えて延びる、ガード軸線に垂直な幅を有する。
【０００６】
本発明の態様は、以下の特徴の１つ以上を包含してもよい。幾つかの実施形態では、エラストマー部材は、ハウジングの側面まで延びる。エラストマー部材は、少なくとも一方の側面を覆って延びることができ、両方の側面を覆って延びてもよい。一部の例では、エラストマー部材は、少なくとも一方の側面から外向きに延びる突出部を形成する。
【０００７】
幾つかの実施形態では、エラストマー部材は、エラストマーフィンを包含する。一部の例では、エラストマーフィンは、１つ以上のブレード軸線の各々に対してほぼ平行なフィン軸線に沿って延び、フィンは、フィン軸線に沿った、ブレード長以上の長さを有する。
一部の例では、フィンは、漸増する長さを有する。ブレードに最も近いフィンは、ブレード長以上のい長さを有することができ、フィン長は、ブレードからの距離が増加するにつれて減少することができる。一部の例では、フィンは、１枚以上の剃毛ブレードの連合する刃先を通過する平面に対して増加する高さを有する先端を有する。先端の高さは、フィンがブレードに近づくにつれて増加してもよい。幾つかの実施形態では、少なくとも一部のフィンは平面より上に先端を有し、一部のフィンは平面より下に先端を有し、その他のフィンは平面に対してほぼ同様の位置の先端を有し得る。ある実施形態では、フィンは、約８〜１４度の先端角を画定する、収束表面を有する。先頭のフィンから最後尾のフィンまでの距離は、約２．５〜６ｍｍであり得る。フィンは、高さ約０．４〜０．９ｍｍの先端を有し得る。ある実施形態では、エラストマー部材は、少なくとも約１０個のフィン、例えば約１５個のフィン又は約２０個のフィンを包含する。一部の例では、フィンは、ブレード軸線に対して平行なフィン軸線に沿って、且つエラストマー部材によって画定されたフレームの範囲内で延びる。実施例では、エラストマー部材は、フレームとフィンとの間に配置された溝を画定し、フレームは、当該フレームから１つ以上のフィンの末端部を分離させる。
【０００８】
幾つかの実施例では、留め具は、１枚以上の剃毛ブレードを保持し、留め具は、ハウジングの前方部分と後方部分との間に配置された開口部を突き通す。一部の例では、留め具の第１及び第２末端部は、ハウジングにおける第１及び第２開口部の各々を突き通す。
【０００９】
幾つかの実施形態では、エラストマー部材は可撓性である。一部の例では、エラストマー部材の先頭部分は、ハウジングの前方部分の先端縁部を越えて、ガード軸線及びブレード軸線に垂直な方向に延びる。先頭部分は、その長さに沿って実質的に支持されていないこともあり得る。一部の例では、先頭部分は、ユーザの皮膚と接触すると同時に偏向するために、十分に可撓性である。ある実施例では、先頭部分は、剃毛中にユーザの皮膚の輪郭に適合するために、十分に可撓性である。先頭部分は、ハウジングの側面に隣接した第１厚さを有し、先細になってガードの中央領域に隣接した更に薄い第２厚さに至るように形成することができる。一部の例では、エラストマー部材の厚さは、ガード軸線に沿って変化する。
【００１０】
多くの実施形態では、ハウジングは、１枚以上のブレードをハンドルに対して枢動させるための枢動構造体に連結されている。一部の例では、トリム組立体は、ハウジングに連結されている。トリム組立体は、トリムブレードを包含し得る。
【００１１】
他の態様では、本発明はまた、カートリッジと、カートリッジに取外し可能に又は恒久的に取り付けられてもよいハンドルと、を有するカミソリを特徴とする。このようなカミソリは、上述した特徴のいずれかを包含してもよい。例えば、一態様において、本発明は、ハンドルと、カートリッジをハンドルに連結する連結構造体を包含する剃毛カートリッジと、を包含する剃毛カミソリを特徴とする。剃毛カートリッジは、前方部分と、後方部分と、前方部分から後方部分まで延びる２つの側面とを有する、プラスチックハウジングを包含する。ハウジングは、一方の側面から他方の側面まで延びる長さを有する。ハウジングの前方表面と後方表面との間に配置されているのは、１つ以上の平行なブレード軸線の各々に沿って延びるブレード長（即ち、カットするために露出されたブレード長）を有する、１枚以上の剃毛ブレードである。ハウジングの前方部分のガードは、１つ以上のブレード軸線の各々に対してほぼ平行なガード軸線に沿って延びるエラストマー部材を包含する。エラストマー部材は、ガード軸線に沿った、ブレード長以上の長さを有する。
【００１２】
本発明の実施形態は、以下の利点の１つ以上を包含してもよい。長いエラストマー部材及び長いフィン設計により、皮膚接触区域が増加し、ブレードの前方における皮膚の広い区域を伸張及び刺激する傾向がある。これは、快適性及び毛をカットするための皮膚の適切な配置を改善する傾向がある。幾つかの実施形態では、エラストマー部材及び少なくとも一部のフィンは、ブレードの有効カット長よりも長く、少なくとも有効カット長の長さにわたって剃毛するために、皮膚を整える傾向がある。フィン長は、ブレードに最も近いフィンからブレードから最も遠いフィンまで減少してもよく、フィンはフレームで取り囲まれてもよく、このことにより、カートリッジが皮膚を横断して移動するとき、カミソリの操作性を改善することができる。フレームからフィンを分離することにより、フィンの可撓性は増加する可能性がある。
【図面の簡単な説明】
【００１３】
【図１】カミソリの斜視図。
【図２】カートリッジをハンドルから連結解除した状態の、図１のカミソリの斜視図。
【図２Ａ】図２のハンドルの斜視図。
【図３】図２のカートリッジの正面図。
【図３Ａ】図３における線Ａ−Ａに沿って取った図３のエラストマー部材の断面図。
【図３Ｂ】図３のカートリッジの背面図。
【図３Ｃ】図３のカートリッジの斜視図。
【図３Ｄ】図３のカートリッジの斜視図。
【図４】エラストマー部材を包含するカートリッジハウジングの正面図。
【図５】図３における線５−５に沿って取った、図３のカートリッジの断面図。
【図６】図５の留め具の断面図。
【図７】図１のカミソリのカートリッジの構成要素の幾つかの相対位置を示す、垂直断面図。
【図８】図３のカートリッジの切断部材の上面図。
【図９】図８の切断部材の正面図。
【図１０】図８の切断部材の垂直断面図。
【図１１】図８の切断部材の拡大垂直断面図。
【図１２】従来技術の切断部材の垂直断面図。
【図１３】主ブレードを取り除いた状態の、図１のカミソリのブレードユニットの斜視図。
【図１４】図１３のブレードユニットのトリム組立体の平面図。
【図１５】図１４のトリム組立体の背面図。
【図１６】図１４のトリム組立体の底面図。
【図１７】図１４のトリム組立体の正面図。
【図１８】図１６の１８−１８で取った、図３のブレードユニットのハウジングの垂直断面図。
【図１９】図１６の１９−１９で取った、図３のブレードユニットの一部分の垂直断面図。
【図２０】図１６の１９−１９で取った、図３のブレードユニットの一部分の垂直断面図。
【図２１】ブレードを取り除いた状態の、図３のブレードユニットの斜視図。
【図２２】図３のブレードユニットのハウジング後方の斜視図。
【図２３】図３のブレードユニットの断面図。
【図２４】図４のエラストマー部材を包含するハウジングの後面斜視図。
【図２５】図２４のエラストマー部材を包含するハウジングの端面図。
【図２６】図３のカートリッジの正面図。
【図２７】皮膚に対して荷重をかけた、図３のブレードユニットの断面図。
【図２８】図２Ａのハンドルの分解図。
【図２８Ａ】図２８の区域Ａ内における構成要素の幾つかの詳細図。
【図２９】それぞれハンドル相互連結部材の正面及び側面図。
【図３０】それぞれハンドル相互連結部材の正面及び側面図。
【図３１】それぞれ解除ボタンの上面、正面、及び側面図。
【図３２】それぞれ解除ボタンの上面、正面、及び側面図。
【図３３】それぞれ解除ボタンの上面、正面、及び側面図。
【図３４】プランジャの正面及び断面図。
【図３５】プランジャの正面及び断面図。
【図３６】それぞれ連結部材の背面、正面及び上面図。
【図３７】それぞれ連結部材の背面、正面及び上面図。
【図３７Ａ】図３６〜３８の連結部材の指部の詳細図。
【図３８】それぞれ連結部材の背面、正面及び上面図。
【図３９】連結部材を含む図２Ａの線３９を通る、ハンドルの断面図。
【図４０】図３のカートリッジの断面図。
【図４１】図３６〜３８の連結部材と連結する、図２Ａのハンドルの断面図。
【図４１Ａ】図２Ａの線４１−４１を通るハンドルの断面図であり、解除ボタンを作動させてカートリッジをハンドルから連結解除した状態を示している。
【図４２】図２Ａの線４２−４２を通るハンドルの断面図であり、それぞれ、その休止及び作動位置における図３１〜３３の解除ボタンを示している。
【図４３】図２Ａの線４２−４２を通るハンドルの断面図であり、それぞれ、その休止及び作動位置における図３１〜３３の解除ボタンを示している。
【図４４】解除ボタンを包含するハンドルケーシングの断面図。
【図４５】トリム操作中に皮膚に対して荷重をかけた、図１のカミソリの側面図。
【図４６】図１のカミソリの正面図。
【図４７Ａ】休止位置における図３のカートリッジ及び図３４及び３５のプランジャの断面図。
【図４７Ｂ】完全に回動した位置における図３のカートリッジ及び図３４及び３５のプランジャの断面図。
【発明を実施するための形態】
【００１４】
本発明のその他の利点及び特徴は、以下の特定実施形態の説明から、また請求項から明らかとなるであろう。
【００１５】
図１及び２に関して、剃毛カミソリ１０は、使い捨てカートリッジ１２とハンドル１４とを包含する（図２Ａ）。カートリッジ１２は、カートリッジ１２をハンドル１４に取外し可能に連結させる連結部材１８と、連結部材１８に枢結されたブレードユニット１６とを包含する。また図３、３Ｃ及び３Ｄに関して、ブレードユニット１６は、プラスチックハウジング２０、ハウジング２０の前方のガード２２、ハウジング２０の後方の潤滑ストリップ２６を有するキャップ２４、ガード２２とキャップ２４との間の５枚のブレード２８、及び留め具３２（これはまた、ブレード２８をハウジング２０内部に保持する）によってハウジング２０の後方に取り付けられたトリムブレード組立体３０（図３Ｃ）を包含する。
【００１６】
ブレードを取り除いた状態のブレードユニット１６を示す図４に関して、ブレードユニット１６のハウジング２０は、側壁３４内に、ブレード支台４００（図７参照）の末端部を受け入れるための内側に面したスロット３３を有する。ハウジング２０はまた、側壁から延びる弾性アーム３６の個々の対を有しており、その上に各ブレード２８が弾力的に支持されている。ブレード２８は、例えば、使用中のカートリッジのすすぎを簡単にするために、側壁３４の間の比較的遮るもののない領域に位置している。
【００１７】
再び図３に関して、キャップ２４は、滑らかな剃毛を支援し、ハウジング２０の後方においてスロット３８（図４）内に受け入れられる。キャップ２４は、当該技術分野において既知であり、例えば、参考として本明細書に組み込まれる米国特許第５，１１３，５８５号及び第５，４５４，１６４号に記載されるような、疎水性材料及び水滲出性の親水性ポリマー材料の混合物を含む材料で作られもよい。
【００１８】
図３、３Ｂ、３Ｃ及び３Ｄに関して、留め具３２は、ハウジング２０のそれぞれの側面付近と、側壁３４の内側とに留め付けられる。各留め具３２は、ブレードユニット１６の前方縁部４４と後方縁部４６との間に位置する、一対のスロット４０及び４２（図４）を通る（図４も参照のこと）。好ましくは、留め具３２は、５０５２−Ｈ１６アルミニウムで形成され、厚さ約０．３ｍｍである。以下でより詳細に説明するように、留め具３２を、ブレードユニット１６の前方及び後方縁部４４、４６の内側寄りに配置することにより、留め具は、カミソリ１０のある種の剃毛特性を妨げることが少なくなる。加えて、留め具３２をハウジング２０内のスロット４０及び４２に突き通し、脚部５０及び５２を所望の曲率に曲げることにより、留め具３２をハウジング２０上に非常にしっかりと据え付けてもよい。
【００１９】
次に図５に関して、留め具３２は、上記の通り、ブレード２８をハウジング２０の中に保持する。留め具３２はまた、ばね偏倚されたブレード２８の刃先４０８を、休止位置にあるときに所望の露出で配置する。留め具３２の脚部５０及び５２は、スロット４０及び４２をそれぞれ突き通し、ハウジング２０の底部を包み込む。
【００２０】
図５を見ると分かるように、脚５０がハウジング２０を突き通す距離Ｄ１は、脚５２がハウジングを突き通す距離Ｄ２よりも大きい。これは、一つには、トリムブレード組立体３０が、ハウジング２０の後方に位置し、留め具３２によってハウジング２０に留め付けられていることに起因するものである。次に図６に関して、脚部５０及び５２は、ハウジング２０を通って延びる比較的直線的な部分５４、５６を包含し、また複数の屈曲５８、６０、６２、６４は、（例えば、金属製留め具を、その弾性限度を超えて表面６１、６３、６５、６７の上にクリンプすることにより）比較的屈曲した部分６６、６８を形成している。屈曲５８、６０、６２及び６４は、留め具３２の脚部５０及び５２に所望の曲率を付与し、ハウジング２０の形状にほぼ一致している。脚部５０及び５２の曲率の非連続的な性質は、真っ直ぐになって脚から離れるのを抑制する傾向がある。示したように、（垂直線５３から測定した）α１は約９１〜９３度、例えば約９２．２度であり、（水平線５５から測定した）α２は約４２〜４４度、例えば約４３度であり、（垂直線５７から測定した）α３は約９１〜９４度、例えば約９２．４度であり、また（水平線５９から測定した）α４は約１９〜２２度、例えば約２０．４度である。本明細書において脚部の曲率は、個々の屈曲の角度Ｉの合計として定義される。Ｉ１及びＩ２の合計は、Ｉ３及びＩ４の合計より大きいので、脚部５０は、脚部５２より大きい曲率を有する。しかし脚部５０及び５２はどちらも、９０度を超える曲率を有する。示したように、脚部５０は、約１３５度（好ましくは約９１〜１５０度）の曲率（即ち、Ｉ１＋Ｉ２）を有し、脚部５２は、約１１３度（好ましくは約９１〜１３０度）の曲率（即ち、Ｉ３＋Ｉ４）を有する。脚部５０、５２の直線的な部分５４、５６及び末端部７１及び７３は、凸角θを形成する。示した実施形態では、約８０度以下などの、より小さいθが好ましい。示したように、θ１は約４７度であり、θ２は約７０度である。脚部５０、５２はまた、留め具３２をハウジングに接触させて予荷重を加えるために、オーバーベンドされ、そこにさらなる安全性をもたらすことができる。例えば、図５に示した実施形態では、屈曲６０は、屈曲６０とハウジングとの間の接点７３において、ハウジング２０に対してわずかな負荷をかける。
【００２１】
留め具３２をハウジング並びに曲がった脚部５０及び５２に突き通すことにより、幾つかの利点を提供することができる。例えば、留め具３２はブレードユニットの前方及び後方縁部４４、４６の内側寄りに配置されるので、留め具３２の長さを実質的に増加させることなく、より幅広いブレードユニット１６を提供することができる。これは、例えば、ハウジングの周辺部の周りを包み込むと共にブレードユニットの前方及び後方側面上を包む金属留め具を採用している、米国特許第６，０３５，５３７号とは対照的である。また、脚部５０及び５２の直線的な部分５４及び５６は、ハウジング２０のスロット４０及び４２内に相対的に囲い込まれており、比較的鋭い屈曲（即ち、比較的短い曲げ半径を有する屈曲）を用いてハウジングの上に曲げられている。この屈曲形状により、留め具３２をハウジング２０に非常にしっかりと取り付け、留め具を破断せずに留め具３２をスロット４０及び４２から取り外すことを難しくすることができる。加えて、金属の留め具３２を形成して金属を鋭く曲げることにより、留め具を十分に真っ直ぐにしてスロット４０、４２から屈曲部６６、６８を引き抜くことが比較的困難となり得る。別の例として、内側寄りの留め具配置は、以下でより詳細に説明する、より長くより幅広いガードの使用を容易にする。
【００２２】
図７〜１２に関して、各々の細長いブレード２８は、下方の細長い基部４０２を有する個々の細長く曲がった支台４００、細長い屈曲部４０４、及びその上にブレード２８が支持される細長いプラットホーム部分４０６の上に支持されていることが分かる。ブレードスパンは、ブレード縁部から該縁部の直前の皮膚接触要素までの、該要素と該ブレード縁部との間に延びる接線に沿って測定した距離として定義される。各ブレードの刃先４０６は、ブレード間スパン距離Ｓ２＝Ｓ３＝Ｓ４＝Ｓ５によって隣接ブレードの刃先４０８から分離されており、ブレード間スパンは、０．９５ｍｍ〜１．１５ｍｍ、好ましくは１．０ｍｍ〜１．１ｍｍ、最も好ましくは約１．０５ｍｍである。ブレードの露出は、ブレード縁部の直前及び直後のブレードユニット要素の皮膚接触面に正接する平面に対して測定された、ブレード縁部の垂直距離又は高さとなるように画定される。刃先はすべて休止時に留め具３２に当接しているので、刃先は共通の平面内にあり、中間にある３枚のブレードの露出はゼロとなる。前方ブレード２８は、−０．０４ｍｍのマイナスの露出を有し、最後尾のブレード２８は、プラスの露出を有する。先頭ブレードの露出の低下及び最後尾のブレードの露出の増加により、米国特許第６，２１２，７７７号に記載されるように剃毛性能を改善する。前方レール４０９から前方ブレード２８の刃先までのスパンＳ１は、０．６５ｍｍであり、最後尾のブレード２８の刃先からキャップ２４の潤滑ストリップ２６上の接点までの距離ＳＣは、３．１６ｍｍである。
【００２３】
ブレードの数を増やすと、皮膚に対するブレードの圧縮力を望ましく分散する傾向があるが、仮にスパンが同じままならばブレードが占める区域が増えることになり、操作性及びトリミングにおいて潜在的な困難を伴うであろう。ブレードの数を増やしてスパンを縮めると、ブレードが占める区域全体を望ましく縮小し、刃先の間の皮膚のふくらみを少なくすると共に、快適性を潜在的に改善する傾向がある。しかしスパンを縮めると、洗い流しやすさ及び剃毛片をブレード区域から除去する能力が低下する可能性がある。５枚刃のカミソリにおいて、０．９５ｍｍというスパン範囲の下端は、良好な快適性をもたらすが剃毛片の除去に伴う問題の可能性が高まり、１．１５ｍｍというスパン範囲の上端は、剃毛片の良好な除去をもたらすが皮膚がふくらんで快適性が低下する可能性があり、スパン値はこの範囲内にあり、そして特に、最も好ましいスパン１．０５ｍｍに近い値は、小型化及び良好な快適性の良好なバランスをもたらす一方、十分な洗い流しやすさを維持して剃毛片の問題を回避する。先頭の刃先４０８から最後尾の刃先４０８までの距離ＳＴは、ブレード間スパンの４倍であり、故に、３．８ｍｍ〜４．６ｍｍであり、好ましくは４．０ｍｍ〜４．４ｍｍ、最も好ましくは約４．２ｍｍ、即ち４．１ｍｍ〜４．３ｍｍである。
【００２４】
図８〜１２に関して、ブレード２８は、ブレード２８の金属を溶かすレーザーを当てた１３箇所のスポット溶接４１０により、溶解金属を生み出すための溶接区域ＷＡにおいてプラットホーム部分４０６に連結されており、これにより冷却によって溶接４１０をプラットホーム部分４０６に形成する。溶接区域ＷＡは、ブレードをプラットホーム部分に留め付ける取り付け区域である。溶接区域ＷＡは、プラットホーム部分４０６の平坦な部分ＦＰの中に位置している。刃先４０８からブレード末端部４５０までのブレード長ＬＢは、１ｍｍ未満、好ましくは０．９ｍｍ未満、最も好ましくは約０．８５ｍｍである。ブレード２８は、プラットホーム部分４０６上に支持される均一厚さ部分４１２と、プラットホーム部分４０６の前方末端部４５２を越えて延びる先細り部分４１４とを有する。細長く曲がった金属支台４００は、厚さ（寸法Ｔ）０．０１ｃｍ（０．００４インチ）〜０．０２３ｃｍ（０．００９インチ）の金属、好ましくは厚さ０．０１３ｃｍ（０．００５インチ）〜０．０１８ｃｍ（０．００７インチ）の金属、最も好ましくは厚さ約０．０１５ｃｍ（０．００６インチ）の金属で作られている。プラットホーム部分４０６は、その前方末端部４５２から屈曲部４０４まで長さ０．７ｍｍ未満、好ましくは０．６ｍｍ未満、最も好ましくは約０．５５ｍｍの長さＬＰを有する。屈曲部４０４は、０．１ｍｍ未満、好ましくは０．０９ｍｍ未満、最も好ましくは０．０８ｍｍ未満の内側曲率半径Ｒを有する。基部４０２とプラットホーム部分４０６との間の角度αは、１０８度〜１１５度、好ましくは１１０度〜１１３度、最も好ましくは約１１１．５度である。
【００２５】
角を成す支台４００は、より薄い金属から切断及び形成されるので、曲率半径Ｒの低下を容易にし、それによりさらに高い割合のプラットホーム部分を平坦にする。また、より薄い材料を支台に使用すると、形成後、より高い割合のプラットホーム区域を平坦にすることが容易になる。長さがより短いために均一厚さ部分４１２の長さが短縮されているブレード２８を、精確且つ確実に支持するためには、最小寸法の平坦区域が必要である。プラットホーム部分４０６の、平坦区域ＦＡの外側の湾曲区域の範囲が縮小されたので、より短い均一厚さ部分４１２を採用する一方、必要とされる精確なブレード支台を尚も維持することができる。このような精確なブレード支台は、望ましい剃毛性能のための望ましいブレード形状を提供するために必要である。
【００２６】
図１３に関して、トリムブレード組立体３０は、ハウジング２０の裏側に留め付けられており、その上に据え付けられたブレード支持体５０２とトリムブレード５０４とを包含する。ブレード支持体５０２は、切断及び成形された厚さ０．０２８ｃｍ（０．０１１インチ）のステンレス鋼シートメタルで作られ、トリムブレード５０４を支持してトリムガード及びキャップ表面を画定するための、並びにハウジング２０へ取り付けるための構造体を提供する。
【００２７】
図１３〜１９に関して、ブレード支持体５０２は、後壁５０６、２つの末端部において後壁５０６の頂部から曲がって前方に延びる上部タブ５０８、５１０、後壁５０６の底部において後壁５０６の長さに沿って曲がって前方に延びる下壁５１２、及び２つの横側面部５１４、５１６（その各々は、後壁５０６の末端部にて各側面から曲がって前方に延びる側部タブ５１８と、下壁５１２の各末端部から曲がって上方に延びる垂直タブ５２０とで作られている）を有する。
【００２８】
後壁５０６の中央部は、その下部が開いており、後壁５０６の下部終端面５２６と、下壁５１２から上方に延びるトリムガード５２８との間に位置する間隙５２２を提供する。
２つの位置整合面５３０は、終端面５２６の２つの末端部において、終端面５２６の基部から精確な距離をおいて配置されている。トリムブレード５０４は、トリムブレード５０４の刃先５３６を位置整合面５３０と整列させた状態で、１３箇所のスポット溶接５３４によって後壁５０６の内面５３２に溶接される。ユーザの皮膚と接触する間隙５２４を取り囲む縁部はすべて、丸みを帯びており、縁部がユーザに触れぬように０．２ｍｍの曲率半径を備える。
【００２９】
図１３、１５〜２０に関して、間隙５２２は、トリムブレード５０４の刃先５３６を露出させる。図１９において恐らく最もよく分かるように、後壁５０６及びその下部終端面５２６は、トリムブレード５０４及びその刃先５３６のためのトリムキャップ５３５を提供し、トリムブレード５０４の露出を画定する。図１３及び２０に関して、２つの皮膚保護用突起部５３７は、ユーザの皮膚がトリム刃先５３６とトリムガード５２８との間の空間の中に張り出し得る量を制限するために、２つの末端部から、トリム刃先５３６からトリムガード５２８までの接線の後方の空間にわたる入り口部分を区切っている。
【００３０】
図１４及び１６に関して、上部側面タブ５０８及び５１０は、上部スロット５３８を有し、下壁５１２は、トリムブレード組立体３０をハウジング２０に留め付けるために使用する留め具３２を受け入れるための一直線に並んだスロット５４０を有する。図１３及び１６に関して、下壁５１２はまた、ハウジング２０上の適切な位置に組立体３０を位置整合及び保持するのを容易にするために、ハウジング２０上の突起部５４４と噛み合うための凹部５４２を有する。
【００３１】
図１３、１６、１８、１９、２１、２２に関して、下壁はまた、剃毛中に刃先５３６の後方及び下方領域から剃毛片を除去するために、ハウジング２０内の４つの凹んだ破片除去用通路５４８と位置整合された４つの破片除去スロット５４６を有する。
【００３２】
製造中、ブレード支持体５０６をシートメタルから形成し、切断する。次に、トリムブレード５０４は、刃先５３６を自動配置部材を有する位置整合面５３０と一直線にさせた状態で、内面５３２に接して配置され、その後、トリム刃先５３６をトリムガード５２８及びトリムキャップ５３４に対して正確な位置においた状態で、スポット溶接５３４によって内面５３２に留め付けられる。次に、トリム組立体３０は、下壁５１２上の凹部５４２をハウジング２０上の突起部５４４と位置整合させた状態で、トリム組立体３０をハウジング２０の後方を覆って前方へ滑らせることによって、ハウジング２０の裏側に配置される。同時に、ハウジング２０上の上部圧潰隆起（crush bumps）５５２及び下部圧潰隆起５５４（図１８）は、組立体３０を前方に向ってハウジング２０の裏側上に動かすとき、上部タブ５０８、５１０と下壁５１２との間に加わる圧縮によって変形される。次に組立体３０は、留め具３２によってハウジング２０に留め付けられ、留め具は、ブレード支持体５０６上の上部スロット５３８と、下部スロット５４０と、ハウジング２０を通して位置整合されたスロット４０、４２と、を通る（図４）。
【００３３】
留め具３２はスロット５３８を通るため、留め具３２は、ブレード支持体５０６と電気的に接触する。留め具、ブレード支持体及びトリムブレードはすべて金属で形成されるので（通常、トリムブレード及びブレード支持体はステンレス鋼で形成され、留め具はアルミニウム又はアルミニウム合金で形成される）、それ故に、留め具はまたトリムブレード５０４と電気的に接触する。留め具３２はまた、ブレード２８の各々と電気的に接触する。故に、留め具は、ブレード及びトリムブレードと共に陽極−陰極電池（anode-cathode cell）を形成し、ここで留め具は犠牲陽極として機能する。その結果、剃毛カミソリが腐蝕条件に曝される場合には留め具は腐蝕し、剃毛ブレード及びトリムブレードは、腐蝕から守られる陰極として機能するであろう。ブレードの刃先の腐蝕はユーザに安全上の危害を及ぼす可能性があるので、この留め具の犠牲的な機能は有益である一方、留め具の腐蝕は審美的に魅力がなく、さらなるダメージが生じる前にユーザがカートリッジを捨てる可能性が高い。
【００３４】
再び図３に関して、ガード２２は、側面３４に延びてこれを覆う可撓性エラストマー部材１００を包含する。エラストマー部材１００は、容器（dispenser）（図示せず）と噛み合ってカートリッジをその中に留め付けることのできる、突起部１０１を形成する（例えば、保管及び／又は輸送のため）。突起部１０１及び容器の詳細は、本出願と同じ日に出願された係属中の米国特許出願、名称「カミソリ刃カートリッジ用の容器（Dispensers for Razor Blade Cartridges）」に見出すことができ、その全体の要旨を参考として本明細書に組み込む。エラストマー部材１００は、以下で詳細に論じる複数個のフィン１１４を包含しており、フィンは、ブレード２８の前方の皮膚を刺激及び伸張し、剃毛するためにユーザの毛を持ち上げて適切に配置する傾向がある。
【００３５】
エラストマー部材１００は、ハウジング２０により、後方部分１０２及び側面１０４に沿って支持される。次に図２３に関して、エラストマー部材１００の前方又は先頭部分１０６は、ハウジング２０の先頭部分１０８を越えて延び、ハウジング２０によってその長さに沿って実質的に支持されていない。エラストマー部材の先頭部分１０６は、比較的可撓性であり、ユーザの皮膚と接触すると同時に偏向することができる。場合によっては、先頭部分１０６は、使用中にユーザの皮膚の輪郭に適合するために十分に可撓性である。
こうしたユーザの皮膚への適合は、ユーザの皮膚に接触するエラストマー部材の表面積を増加させ、皮膚の伸張を増大させる傾向があると共に、剃毛中にユーザによって加えられる力をより均等に分散する傾向もある。先頭部分の偏向はまた、皮膚に接触するときにフィン１１４を互いの方へ偏向させ、フィン先端と皮膚との間の摩擦力を高め、それにより皮膚の伸張を増大させる傾向がある。エラストマー部材１００の可撓性をさらに改善するため、エラストマー部材１００の厚さは、その長さに沿って変化する。図２４及び２５を見ると分かるように、エラストマー部材１００の先頭部分１０６の先端縁部１１０は、ハウジングの側面３４に隣接した第１厚さｔ１を有し、エラストマー部材１００の中央領域に隣接したより薄い第２厚さｔ２の方へ次第に細くなる。
【００３６】
再び図３及び更に図３Ｄに関して、エラストマー部材１００は、フレーム１１５の中に配置された弾性フィン１１４の集合体１１２を包含する。フレーム１１５は、フィンの周囲を取り囲む連続的なエラストマー表面を提供し、これにより、剃毛中にカートリッジのトラッキングを改善することがあると共に、エラストマー部材がもたらす皮膚伸張及び触感特性を向上させることがある。さらに図３Ａに関して、フレーム１１５のくぼんだ壁１１８とフィン１１４の末端部１２０との間には、溝１１６が設けられる。この溝１１６により、フィンは、フィンがその末端部においてフレーム１１５に結合している場合のようにその末端部に固定されるのではなく、撓曲すること、例えば先頭部分１０６が偏向するときに互いに近づくことが可能となる。しかし、必要に応じてフィンをフレームに結合することができ、或いはフレーム１１５を省略してフィンをガードの全長に延ばすことができる。
【００３７】
示した実施形態では、集合体１１２は、１５個のフィンを包含する。一般に、エラストマー部材は、より少数の又はより多数のフィンを包含してもよい（例えば、約１０〜２０個のフィン）。一定のピッチ及びフィン形状に関して、より多数のフィンは一般に、より密な剃毛のために皮膚伸張をより増大させるが、ある程度のフィンの数を超えると皮膚伸張は増大しない傾向があり（又は増大した皮膚伸張は必要ない）、エラストマー部材は過度に幅広くなり、ユーザが狭い区域を剃ることが困難になる場合がある。
【００３８】
再び図２３に関して、エラストマーフィン１１４の先端１２０は、ブレード２８から最も遠いフィンからブレード２８に最も近いフィンまで、カーブに沿って高さが増加する。
先端１２０の幾つかは、ブレード２８の刃先４８を通過する平面１２２の下方にあり、先端１２０の幾つかは、平面１２２より上にある。フィン１１４の高さが増加すると、徐々に皮膚接触が増加する傾向がある。また、高さが増加すると、剃毛中に先端が皮膚に適合する。フィン１１４は、先端から基部まで０．４〜０．９ｍｍの高さ「ｈ」と、幅の狭い輪郭とを有し、換言すれば、フィンは約１４度未満（好ましくは、約１４〜８度、例えば約１１度など）の先端角を画定する。フィン１１４は、約０．１４〜０．５７ｍｍの中心間ピッチ（例えば、０．２８４ｍｍ）で間隔を置き、その基部における厚さは約０．１〜０．４ｍｍ（例えば、０．２１７ｍｍ）である。先頭のフィン１１４ａの前方から最後尾のフィン１１４ｂの後部までの基部における距離は、約４ｍｍである。あるいは、この距離は、約２．５〜６ｍｍであり得る。狭い角度、例えば８〜１４度のフィン特性θは、皮膚を伸張させるのに役立つフィンの可撓性を改善し、それによりカット改善のために毛を立たせる。
【００３９】
次に図２６に関して、エラストマー部材１００は、側面３４にまで及び側面を覆うことにより、側面３４間で測定された長さＬｅ（好ましくは約３４ｍｍ〜約４７ｍｍ、例えば約４２．５ｍｍなど）を有し、これは、Ｌｂを留め具縁部１２４と１２６との内側の間で測定した場合、ブレード２８の各々のブレード長Ｌｂ（好ましくは約３３ｍｍ〜約４６ｍｍ、例えば約３４．４ｍｍなど）よりも長い。エラストマー部材の長さは、良好な皮膚伸張をもたらし、カミソリの触感特性を向上させる。Ｌｅは、Ｌｂよりも例えば約０〜３６％、例えば２３．５％長くできる。フィン１１４は、ブレード軸線１３０とほぼ平行なフィン軸線１２８に沿って測定した、フィン長Ｌｆを有する。示すように、フィン長Ｌｆは、ブレード２８から最も遠いフィンから、ブレード２８に最も近いフィンまで増加する。
フィン１１４の少なくとも幾つか（又は全て）のＬｆは、Ｌｂよりも大きい。この長さが増加する配置は、フレーム１１６と共に、皮膚の輪郭に沿った操作性を改善し得る。エラストマー部材１００を形成するための材料は、所望の通りに選択することができる。好ましくは、エラストマー部材は、ブロックコポリマー（又は他の適した材料）など、例えば２８〜６０ショアＡのジュロ硬度を有するエラストマー材で形成される。好ましくは、フィン１１４も、例えば、約２８〜６０（例えば約４０〜５０、例えば約４０〜４５ショアＡなど）のショアＡ硬度を有する比較的柔らかい材料で作られる。値がこの範囲を超えて増加すると、性能は悪化する傾向がある場合があり、値がこの範囲を下回って低下すると、生産上の問題がある場合がある。示したように、フィン及びエラストマー部材は、同じ材料で一体的に形成されている。その他の場合、フィン及びエラストマー部材は、異なる材料で形成されている。エラストマー部材１００をハウジング２０に留め付ける方法も、所望の通りに選択できる。適した方法としては、例として、接着剤、エラストマー部材をハウジング２０上に溶接及び成形（例えば、オーバーモールド又はツーショットモールド）することが挙げられる。
【００４０】
図１及び２に関して、ブレードユニット１６は、連結部材１８上に枢着されている。以下の「カートリッジ／ハンドル連結」の項において詳細に論じるように、連結部材１８は、取外し可能な係合において、ハンドル１４上のハンドル連結構造体１１を受けるように構成されている。ブレードユニット１６は、ハウジング２０及び連結部材１８によって提供される共働的なピボット構造体により、枢動軸７０の周りでハンドル１４及び連結部材１８に対して枢動することができる。
【００４１】
図３６〜３８に関して、連結部材１８は、本体１４０と、本体１４０から外向きに延びる一対のアーム１４２及び１４４とを有する。アーム１４２及び１４４のＵ字形末端部１４６及び１４８から延びているのは、指部１５０及び１５２である。指部１５０及び１５２は、例えばハウジング２０の裏側（図３Ｂ）の開口部内に挿入することによって、ブレードユニット１６に枢結され、ブレードユニット１６を軸７０（図２３）の周りで連結部材１８に対して枢動させる。指部１５０の側面図を示す図３７Ａの詳細図に関して、指部１５０及び１５２はそれぞれ、突き出した遠位端１５１及び１５３を包含し、遠位端は、連結部材１８及びハウジング２０連結部のベアリング面を形成する、同軸の２つの円弧１５５及び１５７の端点Ａ、Ｂ、Ｃ、Ｄを画定する。これらの弧表面は、カートリッジハウジング２０上の噛合う弓形受容体（図示せず）の中に（ゆとりを持って）フィットし、枢動を可能にする。小さい方の弧１５５は、ブレードユニット１６が枢動するときに荷重を受ける。大きい方の弧１５７は、剃毛中にブレード２８がカットしているときに荷重を受ける。
【００４２】
再び図４０に関して、各指部は、停止面１５４及び１５６（図３８）を包含する。停止面１５４及び１５６は、ブレードユニットの回動を制限するために、ブレードユニット１６の共働的停止面１５８及び１６０（図４０）に係合し得る。図４０に示すように、停止面１５４、１５６、１５８、１６０は、ばね偏倚された休止位置を０度として、ブレードユニット１６が約４１度の角度γを超えて正転することを抑制する。面１５６及び１６０はまた、トリムブレード５０４を使用してトリム操作する間の回動を抑制するための停止部を提供する。
【００４３】
図３７に関して、末端部表面１４６及び１４８は、ブレードユニット１６が連結部材１８に対して過度枢動する場合、耐荷重構造体としての機能を果たす。このような過度枢動は、例えば、ユーザがカミソリを落とした場合に起こることがある。図４０に示すように、ハウジング２０は、ブレードユニットがγよりも大きい（例えば４１度よりも大きく、約４２度〜４５度、例えば約４３度）角度Wを回動する場合、末端部表面１４６及び１４８に接し得る。これらの耐荷重構造体を備えることにより、荷重を末端部表面１４６、１４８及びアーム１４２、１４４に伝えることができ、故に、（例えば、指部の破損を防止するために）指部１５０、１５２上の応力を和らげる。
【００４４】
再び図１に関して、ブレードユニット１６は、ばね偏倚されたプランジャ１３４によって、（図１で示した）直立した休止位置の方に偏倚されている。プランジャ１３４の丸みを帯びた遠位端１３９は、枢動軸７０から離間した位置でカム表面２１６（図４７）においてカートリッジハウジングに接触し、ハウジング２０に偏倚力を付与する。プランジャ／ハウジング接触点を枢動軸７０から離間して配置することにより、てこの作用をもたらし、ばね偏倚されたプランジャは、荷重を取り除いた途端、ブレードユニット１６をその直立した休止位置に戻すことができる。このてこの作用はまた、ブレードユニット１６が、ユーザによって加えられる荷重の変化に応じて、その直立した位置と完全に荷重された位置との間で自由に枢動できるようにする。
【００４５】
次に図４７Ａ及び４７Ｂに関して、ブレードユニット１６がハンドルに対して回動するとき、プランジャ１３４とカム表面２１６との間の接点は変化する。水平距離ｄ１及び直線距離ｌ１はそれぞれ、ブレードユニット１６がばね偏倚された休止位置にあるとき、ｄ１を枢動軸７０に垂直な且つ平面１２２に平行な水平線に沿って測定した状態で、点Ｘにおいて最短である。同様に枢動軸７０に垂直な且つ平面１２２に平行な水平線に沿って測定された水平距離ｄ２、及び直線距離ｌ２はそれぞれ、ブレードユニット１６が完全に回動した位置にあるとき、接点Ｙにおいて最長である。示した実施形態では、ｄ１は約０．９ｍｍ、ｌ１は約３ｍｍ、ｄ２は約３．５ｍｍ、及びｌ２は約５ｍｍである。あるいは、ｄ１は約０．８〜１．０ｍｍであり得、ｌ１は約２．５〜３．５ｍｍであり得、ｄ２は約３〜４ｍｍであり得、またｌ２は約４．５〜５．５ｍｍであり得る。
【００４６】
ブレードユニット１６がその休止位置から回動するとき、プランジャ１３４によって加えられる力に起因する枢動軸の周りのトルクは増加するが、その原因は、少なくとも部分的には、接点と枢動軸７０との間の水平距離が増加すること、及びプランジャ１３４がカム表面２１６に対してより直角な配向に回動することである。幾つかの実施形態では、ばね偏倚されたプランジャによって加えられる最小トルクは、例えば休止位置において少なくとも約１．５Ｎ・ｍｍ、例えば約２Ｎ・ｍｍなどである。一部の例では、プランジャによって加えられる最大トルクは、例えば完全に回動した位置において約６Ｎ・ｍｍ以下、例えば約３．５Ｎ・ｍｍなどである。
【００４７】
次に図２３に関して、連結部材１８及びハウジング２０は、枢動軸７０が、平面１２２より下に（例えば、ハウジング２０の中の位置で）、及びブレード２８の前方に位置するよう連結されている。枢動軸７０をブレード２８の前方に配置することは、「前方枢動式」配置と呼ばれることがある。
【００４８】
枢動軸７０の、ブレードユニット１６の幅Ｗに沿った位置は、カートリッジが枢動軸の周りで枢動する方法と、剃毛中にユーザによって加えられる圧力がユーザの皮膚に伝わり、カミソリカートリッジの表面区域上で分散する方法とを決定する。例えば、枢動軸がハウジングの幅の中央から著しく離間するよう枢動軸をブレードの後ろに且つハウジングの前方縁部の比較的近くに配置する場合、ブレードユニットは、ユーザがハンドルを通じて皮膚に圧力を加えるときに「後方揺動（rock back）」を示す傾向がある場合がある。「後方揺動」とは、ユーザが更なる圧力を加えるとき、ブレードユニットの、より幅広いブレードを担持する部分が、皮膚から離れて揺動する傾向を指す。このような方法で枢動点を配置することは、一般に安全な剃毛をもたらすが、ユーザが加圧を変化させることによって剃毛近さを調節するのをより困難にする傾向がある場合がある。
【００４９】
ブレードユニット１６において、枢動軸とブレードユニット前方縁部との間の距離は、枢動軸の周りでカートリッジのバランスを保つために十分に長い。このような方法でカートリッジのバランスを保つことにより、後方揺動は最小限となる一方、前方枢動式配置の安全性の利点を尚ももたらす。ユーザが加える付加的な圧力は、中央枢動式配置（ブレード間に位置する枢動軸を有するブレードユニット）の場合のように主にブレードに伝わるのではなく、ブレードとエラストマー部材との間で比較的均等に分散するので、安全性が保たれる。好ましくは、ブレードユニットの前方から枢動軸までの距離は、使用中にブレードユニット１６を通じて皮膚に加わる圧力が比較的均等に分散できるよう、ブレードユニットの後方から枢動軸までの距離に十分に近い。コンピューターモデリングにより、剃毛中の圧力分散を予測することができる。
【００５０】
図２３に関して、突き出た距離Ｗｆは、突き出た距離Ｗｒに比較的近い。好ましくは、Ｗｆは、Ｗｒの４５％以内、例えば３５％以内などである。一部の例では、Ｗｒは、Ｗｆにほぼ等しい。好ましくは、Ｗｆは少なくとも約３．５ｍｍであり、より好ましくは５．５〜６．５ｍｍ、例えば約６ｍｍなどである。Ｗｒは、一般に約１１ｍｍ未満（例えば、約１１ｍｍ〜９．５ｍｍ、例えば約１０ｍｍなど）である。
【００５１】
カートリッジバランスの尺度は、ブレードユニット１６の後方と枢動軸７０との間の突き出た距離Ｗｒの、ブレードユニット１６の前方と後方との間の突き出た距離Ｗに対する比率であり、各々の突き出た距離は、枢動軸７０に垂直なハウジング軸線２１７（図３）に平行な線に沿って測定される。比率はまた、「前方重量％」と呼ばれるパーセンテージとして表されてもよい。
【００５２】
次に図２７に関して、ブレードユニット１６は、皮膚１３２に対して重みを掛けて示されている。ブレードユニット１６は、枢動軸７０に垂直な垂直力Ｆを加えることにより、重みを掛けられている（即ち、ユーザによってハンドル１４を通じて加えられ、図３９で示されたばね偏倚されたプランジャ１３４によって加えられる力などの他の力を無視する）。好ましくは、Ｗｆに沿って担持される重量％（即ち前方重量％）は、ブレードユニット１６によって担持される総重量の最大約７０％（例えば、約５０％〜約７０％、例えば約６３％など）である。
【００５３】
カートリッジのバランスを保つことにより、前方部分１３６によりＷｆ上に担持される重量及び後方部分１３８によりＷｒ上に担持される重量は、使用中にさらに均等に分散され、このことは剃毛中に剃毛面に加わる圧力をさらに均等に分散することに相当する。さらに、より多くの重量がカートリッジ１２の後方部分１３８（使用中、ブレード２８はここに位置している）に移動し、後方部分１３８の後方揺動を抑制し、これにより更に接近した剃毛を行うことができる。
【００５４】
図１及び２に関して上述したように、連結部材１８は、ブレードユニット１６をハンドル１４上のハンドル連結構造体１１に取外し可能に連結する。
【００５５】
図２、２Ａ及び４１（図４１は、明瞭化のためプランジャ、ボタン、及びばねを省略している）に関して、連結部材１８とハンドル１４とを連結するために、ユーザは、ハンドル連結構造体１１を連結部材１８の後端の中に押し進める。ハンドル連結構造体は、突起部１６６が突き出た本体１６７を包含する。突起部１６６は、連結部材１８内の開口部１７８によって受け入れられるように位置している。突起部１６６を開口部の中に挿入するとき、連結部材上のラッチ１６２及び１６４は、弾力的に偏向して、突起部１６６の遠位端１８０を受け入れる。ラッチ１６２及び１６４が突起部１６６の遠位端１８０の外側縁部１８８及び１９０を通過すると、ラッチ１６２及び１６４は、ラッチが突起部の側面１８２及び１８４と係合するときに、その初めの偏向していない位置の方に戻る（図３９）。
【００５６】
図４１Ａに関して、カートリッジ１２をハンドル１４から連結解除するために、ユーザは、ボタン１９６をハンドルケーシング１７０に対して前方に押すことにより、ばね偏倚された解除ボタン１９６を作動させる。ボタン１９６を前方に押すと、プッシュアーム１９２及び１９４が延びて、連結部材１８のラッチ１６２及び１６４と係合する。以下でより詳細に説明するように、この係合力により、ラッチ１６２、１６４と突起部１６６との間の締まりばめが開いて、カートリッジ１２をハンドル１４から解放する。
【００５７】
次に、連結されたカートリッジ１２及びハンドル１４を示す図３９に関して、連結部材１８のラッチ１６２及び１６４は、突起部１６６の角度を成す側面１８２及び１８４に係合する、それぞれの自由遠位端１７４、１７６を有する。側面１８２及び１８４は、比較的大きい遠位端１８０から比較的小さい基部１８６まで次第に細くなっており、突き出た頂角Ｉ（例えば、約４５〜６０度、例えば約５２度など）を形成している。側面１８２及び１８４の先細りにより、（例えば、トリム操作中にブレードユニット１６の後方部分に加わる力によって）カートリッジ１２がハンドル１４から予期せずに外れることを抑制する。また平面的な側面１８２及び１８４を、ラッチ１６２及び１６４の遠位端１７４、１７６の平坦な縁部と係合させることにより、連結部材１８の、ハンドル連結構造体１１に対する回動運動を抑制する。
【００５８】
図３６〜３８に関して、連結部材１８は、ラッチ１６２及び１６４が延出している本体１４０を包含する。本体１４０は、対応するアーチ形の輪郭（図２９）を有する本体１６７と噛み合うために、アーチ形の輪郭に合致している。本体１４０の輪郭及び本体１６７はまた、前方から見たときに非対称的に成形されており、ユーザが正しい配向でカートリッジ１２をハンドル１４に連結するのを助ける。例えば図３６に関して、本体１４０は、前方から見たときにほぼＤ字形であってもよく、本体１６７は、一致したＤ字形を有してもよい。また、これらの一致したアーチ形及び非対称の輪郭により、連結部材１８及びハンドル連結構造体１１の相対的な回動を抑制する。
【００５９】
ラッチ１６２及び１６４は、本体１４０の壁１７２の輪郭にほぼ沿って、且つ本体１４０の壁１７２から反対の自由遠位端１７４及び１７６まで一体的に、延びる。遠位端１７４及び１７６の各々は、壁１７２を貫通して延びる開口部１７８の一部分を形成し、突起部１６６を受け入れる。再び図２９に関して、開口部１７８は、突起部１６６の遠位端１８０よりも小さい。故に、突起部の遠位端の幅Ｗｐは、好ましくは約４ｍｍ〜７ｍｍ、例えば約５．６ｍｍなどであり、一方、ラッチ１６２及び１６４の自由遠位端１７４及び１７６の間の幅Ｗｏは、好ましくは約３ｍｍ〜６ｍｍ、例えば約４．８ｍｍである。
【００６０】
次に図２９、３０及び３９に関して、２つのスロット１７７及び１７９は、突起部１６６の反対側で本体１６７を貫通して延びる。第３スロット１８１は、本体１６７を貫通して突起部１６６の遠位端１８０まで延びる。スロット１７７及び１７９は、解除ボタン１９６から延びるプッシュアーム１９２及び１９４の各々を受け入れ、スロット１８１は、プランジャ１３４を受け入れる（図３９）。図２９及び３０に関して、本体１６７の後方部分から延びているのは、一対のラッチアーム１７１及び１７３であり、ラッチアームは、本体１６７を、ハンドルケーシング１７０と、解除ボタン１９６が作動するときに解除ボタンを案内するのを助ける案内部材１６９と、に留め付けるのを助ける。
【００６１】
次に図３１〜３３、及び３９に関して、プッシュアーム１９２及び１９４は、解除ボタン１９６の一体部分として形成されている。解除ボタン１９６はまた、ラッチアーム２０４及び２０６、ばね２０５を受けるための大きさに作られた円筒形伸張部２０２、並びにプッシュアーム、ラッチアーム、及び円筒形伸張部が延出しているボタン基材１９８を包含する。エラストマーキャノピー２００は、ボタン基材の周辺部の周りに延び、ボタン基材と、周囲のハンドルケーシングとの間の、ボタンがハンドルに対して動くための十分な間隔を与えるために必要な隙間を埋めている。ラッチアーム２０４及び２０６はそれぞれ、ハンドルケーシング１７０内に形成されたそれぞれの軌道２１０（図２８）に滑動的に係合する引掛け部２０８を包含しており、ボタンを前後にスライドさせる。引掛け部２０８はまた、それぞれの軌道２１０の末端部で形成された縁２１１（図３９）を係合させることによって、解除ボタン１９６がハンドルケーシング１７０から外れることを抑制する。以下で説明するように、エラストマーキャノピー２００は、ボタン基材１９８からハンドルケーシング１７０まで延び、伸張部２０２、ばね２０５、本体１６７、及びプランジャ１３４の基部をユーザから隠している。
【００６２】
ボタン１９６及びプランジャ１３４（その機能については「枢動構造体」の項において上述した）は、ばね２０５によって反対の方向に偏倚されている。図３４及び３５に関して、プランジャ１３４は、プランジャ本体１３７の中に形成されてばね２０５を受け入れることのできる空洞１３９と、プランジャ１３４が伸張した位置にあるときに本体１６７（図３９）内の内側表面１３９、１４１に対して着座する基部部材１３５と、を包含する。ばね２０５は、ユーザがボタンを解除した後、ボタンをカートリッジから離れて偏倚させ、ボタンをその通常の元の位置に戻す。
【００６３】
再び図４１Ａに関して、ユーザがボタン１９６を前方に押すとき、プッシュアーム１９２及び１９４は、十分な力をラッチ１６２及び１６４に加え、連結部材１８と突起部１６６との間の締まりばめを係合離脱させることができる。一旦プッシュアーム１９２及び１９４がラッチ１６２及び１６４の末端部１７４及び１７６を押して、突起部１６６の縁部１８８及び１９０を越えたら、ラッチ１６２、１６４は、その偏向していない位置の方へ跳ね戻り、こうしてカートリッジ１２をハンドル１４から離して突き出させる。
【００６４】
次に図４２に関して、その休止位置にある解除ボタン１９６が示されている。キャノピー２００は、ボタン基材１９８から表面３０６まで延び、ばね２０５、プッシュアーム１９２及び１９４、並びにプランジャ１３４の基部をユーザの視界から隠している。次に図４３に関して、解除ボタン１９６を作動させるとき、プッシュアーム１９２及び１９４は前方に押され、キャノピー２００は、ボタン基材１９８と表面３０６との間で座屈する。
ボタン１９６を解除するとき、ばね２０５は、ボタン１９６をその元の位置に押し返し、キャノピー２００は、その座屈していない状態に戻る。
【００６５】
図４２及び４４に関して、好ましくは、ハンドルケーシング１７０とキャノピー２００との間の接触角Φ１は、ボタンがその休止位置にあるとき且つキャノピーが完全に元に戻ったときに最大約１１０度である。このことにより、ボタン１３６を作動させたとき、キャノピー２００の座屈を制御することが容易になる。１１０度よりも大きい接触角は、キャノピー２００が座屈せず、ハンドルケーシング１７０の表面上をスライドする原因となることがある。ハンドルケーシング１７０の形状により、角度Φ１は、キャノピー２００の周囲に沿って、キャノピー２００の中央における最大接触角Φ１（例えば約１１０度）（図４２）からキャノピーの各側面における最小接触角Φ２（例えば約５０度）（図４４）まで、変化する。
【００６６】
キャノピーを形成するための材料は、所望により選択することができる。好適な材料としては、例えば、熱可塑性エラストマー、シリコーン及びラテックスなどのエラストマーが挙げられる。キャノピーの厚さは、約０．３ｍｍ〜０．６ｍｍ、例えば約０．５ｍｍなどであり得る。
【００６７】
次に図２８、２８Ａ及び３９に関して、ハンドル１４のハンドル連結構造体１１を組立てるため、本体１６７をハンドル部分７２２の中に挿入し、ラッチアーム１７１及び１７３がハンドルケーシング１７０の部分７２２にある表面３０６（図４２及び４３も参照のこと）に対して掛止するようにする。ばね２０５は、解除ボタン１９６から延出している円筒形伸張部２０２（図３２）の上に配置される。ばね２０５はまた、プランジャ１３４の空洞１３９の中に挿入される。プランジャ−ばね−ボタン組立体は本体１６７の後方部分の中に挿入され、プランジャ１３４はスロット１８１により受け入れられ、プッシュアーム１９２及び１９４はそれぞれスロット１７７及び１７９により受け入れられる（図３９）。解除ボタン１９６のラッチアーム２０４及び２０６は、ハンドルケーシング１７０の軌道２１０内にセットされる。
【００６８】
ハンドルケーシング１７０、本体１６７、連結部材１８、解除ボタン、及びプランジャ１３４を形成するための材料は、所望により選択することができる。好ましくは、ハンドルケーシング１７０は、亜鉛合金などの金属で作られる。しかしハンドルケーシングは、参考として組み込まれる米国特許第５，８２２，８６９号で説明されたものなど、プラスチック（例えば、めっきされたアクリロニトリル−ブタジエン−スチレン）及び金属挿入物を有するプラスチックを含む他の材料で作ることができる。ダイカスト、インベストメント鋳造、及び成形を含む、ハンドルケーシングを形成するためのいずれかの適した方法を採用することができる。カートリッジハウジング、丸みを帯びた伸張部、ボタン、連結部材、及びプランジャを形成するための適した材料としては、熱可塑性樹脂が挙げられる。例えば、本体１６７及び突出部１６６（図２９）及びプランジャを包含するハンドル相互連結部材は、アセタールで作ることができ、プッシュアーム２０４、２０６及び伸張部２０２を包含するボタン基材１９８は、ポリプロピレンで作ることができる。形成するための適した方法としては、射出成形などの成形が挙げられる。
【００６９】
図４５及び４６に関して、ハンドル１４は、末端部において、主ブレード２８と同じ側がくぼんだ単一の緩やかなカーブ７２０を包含する。ハンドル１４は、２つの部分７２２、７２４に分岐しており、それらの間に何も無い領域を備え、カーブ７２０のくぼんだ側に配置された指パッド７２６にアクセスできるようにしている。主ブレード及び指パッド７２６と同じ側にある緩やかなカーブ７２０、並びに分岐ハンドルによってもたらされたパッド７２６へのアクセスにより、ユーザは、ユーザの皮膚７３０上のもみあげ又は他のほおひげ若しくは毛をトリムするとき、図４５に示した角７２８に配置されているトリムブレード５０４の真下に沿って親指又は指を置くことが可能となる。指パッド７２６は、エラストマー材で作られており、良好な係合をもたらすための突起部を有する。部分７２２、７２４の内側表面７３２、７３４は、指パッド７２６にアクセスできるように削り下げられている。
【００７０】
使用中、剃り手は、親指が主ガード２２付近の側面上の指パッド７２６（図４５及び４６）上にくるようにハンドル１４を通常の握り位置から１８０度回動させ、例えば、他の方法では剃りにくい位置にある毛を剃る場合、ほおひげの下端、又は口ひげ若しくはあごひげの縁、又は剃り手の鼻の下をきれいにするための所望の位置において、ブレードユニットの後方を、トリムするべき毛の縁に沿って、トリムブレード５０４で剃るべき皮膚区域の方へ動かす。ブレードユニット１６は、その休止時に連結部材１８に対する停止位置に位置しており、故に、ユーザがブレードユニット１６の後方及び刃先５３６を皮膚に押し付け、次に、これを皮膚の上で横方向に動かして毛をトリムする時に枢動することがない。トリム中に刃先５３６の裏側の領域に向うカットされた毛及び他の剃毛片は、ハウジング２０内の破片除去用通路５４８を通り抜け、トリム中に下壁にある一直線に並んだ破片除去スロット５４６、並びに全領域、並びに破片除去用通路及びスロットは、水の中ですすぐ間、例えば剃毛ストローク又はトリムストロークの間に簡単にきれいになる。カットされた毛及び剃毛片はまた、通路５４８の後部及び下壁５１２の上の通路５４９を通り抜けることができる。
【００７１】
トリムブレード５０４の刃先５３６の、ブレードユニットの後壁５０６に対して引っ込んだ配置により、カートリッジ１２及びカミソリ１０の取扱い中、ユーザの皮膚を切らないようにする。トリムブレード及びトリムガードを、剃毛カミソリブレードユニットのハウジングに取り付けた共通の組立体に含めることにより、トリムブレードに対してトリムガードを精確に位置決めすることが容易になり、精確なトリムブレードの接線角及びトリムブレードの範囲を提供する。
【図１】
2010099485.tif 000003
【図２】
2010099485.tif 000004
【図２Ａ】
2010099485.tif 000005
【図３】
2010099485.tif 000006
【図３Ａ】
2010099485.tif 000007
【図３Ｂ】
2010099485.tif 000008
【図３Ｃ】
2010099485.tif 000009
【図３Ｄ】
2010099485.tif 000010
【図４】
2010099485.tif 000011
【図５】
2010099485.tif 000012
【図６】
2010099485.tif 000013
【図７】
2010099485.tif 000014
【図８】
2010099485.tif 000015
【図９】
2010099485.tif 000016
【図１０】
2010099485.tif 000017
【図１１】
2010099485.tif 000018
【図１２】
2010099485.tif 000019
【図１３】
2010099485.tif 000020
【図１４】
2010099485.tif 000021
【図１５】
2010099485.tif 000022
【図１６】
2010099485.tif 000023
【図１７】
2010099485.tif 000024
【図１８】
2010099485.tif 000025
【図１９】
2010099485.tif 000026
【図２０】
2010099485.tif 000027
【図２１】
2010099485.tif 000028
【図２２】
2010099485.tif 000029
【図２３】
2010099485.tif 000030
【図２４】
2010099485.tif 000031
【図２５】
2010099485.tif 000032
【図２６】
2010099485.tif 000033
【図２７】
2010099485.tif 000034
【図２８】
2010099485.tif 000035
【図２８Ａ】
2010099485.tif 000036
【図２９】
2010099485.tif 000037
【図３０】
2010099485.tif 000038
【図３１】
2010099485.tif 000039
【図３２】
2010099485.tif 000040
【図３３】
2010099485.tif 000041
【図３４】
2010099485.tif 000042
【図３５】
2010099485.tif 000043
【図３６】
2010099485.tif 000044
【図３７】
2010099485.tif 000045
【図３７Ａ】
2010099485.tif 000046
【図３８】
2010099485.tif 000047
【図３９】
2010099485.tif 000048
【図４０】
2010099485.tif 000049
【図４１】
2010099485.tif 000050
【図４１Ａ】
2010099485.tif 000051
【図４２】
2010099485.tif 000052
【図４３】
2010099485.tif 000053
【図４４】
2010099485.tif 000054
【図４５】
2010099485.tif 000055
【図４６】
2010099485.tif 000056
【図４７Ａ】
2010099485.tif 000057
【図４７Ｂ】
2010099485.tif 000058